(57)【特許請求の範囲】
【請求項１】
防虫性を備える合成樹脂製の管であって、
少なくとも、第１防虫成分を含有する第１防虫部と、前記第１防虫成分とは異なる第２防虫成分を含有する第２防虫部とが、管の内面側において長手方向に繰り返し並んで露出するように形成される、合成樹脂製の管。
【請求項２】
前記第１防虫成分を含有して管の長手方向に連続して形成される第１防虫層と、前記第２防虫成分を含有して前記第１防虫層の内面に管の長手方向に断続的に形成される第２防虫層とを備え、
前記第１防虫層のうちの管の内側に露出する部分が前記第１防虫部となり、前記第２防虫層が前記第２防虫部となる、請求項１に記載の合成樹脂製の管。
【請求項３】
前記第２防虫層は、前記第１防虫層の内面に、前記第２防虫成分を含有する防虫剤が塗布されてその防虫剤が硬化して被膜化されて形成される、請求項２に記載の合成樹脂製の管。
【請求項４】
前記第１防虫成分は、白蟻の食害を防ぐための防虫成分であって、前記第２防虫成分は、白蟻とは異なる虫を防ぐための防虫成分である、請求項１ないし３のいずれか１項に記載の合成樹脂製の管。
【請求項５】
前記第１防虫成分は、ネオニコチノイド系化合物からなり、前記第２防虫成分は、ピレスロイド系化合物からなる、請求項１ないし４のいずれか１項に記載の合成樹脂製の管。
【請求項６】
前記第１防虫部および前記第２防虫部よりも外側となる管の外面側に、防鼠成分を含有する防鼠層を備える、請求項１ないし５のいずれか１項に記載の合成樹脂製の管。
【請求項７】
前記防鼠成分は、カプサイシン類からなる、請求項６に記載の合成樹脂製の管。
【請求項８】
前記防鼠層よりも外側に最外層となる覆い層を備え、その覆い層は、防蟻成分を含有する、請求項６または７に記載の合成樹脂製の管。
【請求項９】
前記覆い層は、前記防蟻成分とともに、防鼠成分を含有し、
前記覆い層における防鼠成分の含有率は、前記防鼠層における防鼠成分の含有率よりも小である、請求項８に記載の合成樹脂製の管。
【請求項１０】
前記管の最外層は、防蟻成分を含有する、請求項１ないし７のいずれか１項に記載の合成樹脂製の管。
【発明の詳細な説明】
【技術分野】
【０００１】
この発明は、防虫性を備える合成樹脂製の管に関するものである。
【背景技術】
【０００２】
従来、防蟻剤が混入された合成樹脂製の波付管があった（例えば、特許文献１参照）。この波付管は、単層構造の合成樹脂に、あるいは、二層構造における外層の合成樹脂に、防蟻剤として、有機リン系化合物とか有機酸金属塩とかが混入された。
【先行技術文献】
【特許文献】
【０００３】
【特許文献１】実公平６−４６９８９号公報
【発明の概要】
【発明が解決しようとする課題】
【０００４】
ところで、前記従来の合成樹脂製の波付管（管）にあっては、防蟻剤が混入されたが、その防蟻剤は、白蟻のためのものであって、白蟻以外の虫には効果が薄かった。
【０００５】
この発明は、上記した従来の欠点を解決するためになされたものであり、その目的とするところは、複数種類の虫に対して防虫効果を発揮することができる合成樹脂製の管を提供することにある。
【課題を解決するための手段】
【０００６】
この発明に係る合成樹脂製の管は、前記目的を達成するために、次の構成からなる。すなわち、
請求項１に記載の発明に係る合成樹脂製の管は、防虫性を備える合成樹脂製の管であって、少なくとも、第１防虫成分を含有する第１防虫部と、前記第１防虫成分とは異なる第２防虫成分を含有する第２防虫部とが、管の内面側において長手方向に繰り返し並んで露出するように形成される。
【０００７】
この合成樹脂製の管によると、少なくとも第１防虫部と第２防虫部とが、管の内面側において長手方向に繰り返し並んで露出する。ここで、第１防虫部の防虫成分と第２防虫部の防虫成分とは異なるため、少なくとも二種類の虫が、管の内面に沿って進もうとするのを防止することができ、これら虫に対して防虫効果を発揮することができる。
【０００８】
また、請求項２に記載の発明に係る合成樹脂製の管は、請求項１に記載の合成樹脂製の管において、前記第１防虫成分を含有して管の長手方向に連続して形成される第１防虫層と、前記第２防虫成分を含有して前記第１防虫層の内面に管の長手方向に断続的に形成される第２防虫層とを備える。そこで、前記第１防虫層のうちの管の内側に露出する部分が前記第１防虫部となり、前記第２防虫層が前記第２防虫部となる。
【０００９】
また、請求項３に記載の発明に係る合成樹脂製の管は、請求項２に記載の合成樹脂製の管において、前記第２防虫層は、前記第１防虫層の内面に、前記第２防虫成分を含有する防虫剤が塗布されてその防虫剤が硬化して被膜化されて形成される。
【００１０】
また、請求項４に記載の発明に係る合成樹脂製の管は、請求項１ないし３のいずれか１項に記載の合成樹脂製の管において、前記第１防虫成分は、白蟻の食害を防ぐための防虫成分であって、前記第２防虫成分は、白蟻とは異なる虫を防ぐための防虫成分である。
【００１１】
また、請求項５に記載の発明に係る合成樹脂製の管は、請求項１ないし４のいずれか１項に記載の合成樹脂製の管において、前記第１防虫成分は、ネオニコチノイド系化合物からなり、前記第２防虫成分は、ピレスロイド系化合物からなる。
【００１２】
また、請求項６に記載の発明に係る合成樹脂製の管は、請求項１ないし５のいずれか１項に記載の合成樹脂製の管において、前記第１防虫部および前記第２防虫部よりも外側となる管の外面側に、防鼠成分を含有する防鼠層を備える。こうして、合成樹脂製の管が、外面側に、防鼠成分を含有する防鼠層を備えることで、この管は、防虫効果に加えて防鼠効果を発揮することができる。
【００１３】
また、請求項７に記載の発明に係る合成樹脂製の管は、請求項６に記載の合成樹脂製の管において、前記防鼠成分は、カプサイシン類からなる。
【００１４】
また、請求項８に記載の発明に係る合成樹脂製の管は、請求項６または７に記載の合成樹脂製の管において、前記防鼠層よりも外側に最外層となる覆い層を備え、その覆い層は、防蟻成分を含有する。こうして、合成樹脂製の管が、最外層となる覆い層に防蟻成分を含有することで、白蟻が、管の外面に沿って進んだりするのを防ぐことができる。
【００１５】
また、請求項９に記載の発明に係る合成樹脂製の管は、請求項８に記載の合成樹脂製の管において、前記覆い層は、前記防蟻成分とともに、防鼠成分を含有し、前記覆い層における防鼠成分の含有率は、前記防鼠層における防鼠成分の含有率よりも小である。これにより、最外層となる覆い層により、比較的小さな鼠による被害を防ぐことができる。そして、大きな鼠に対しては、覆い層がかじられる虞はあるが、この場合には、防鼠成分の含有率が相対的に大である防鼠層が露出し、その防鼠層により、大きな鼠による被害を防ぐことができる。
【００１６】
また、請求項１０に記載の発明に係る合成樹脂製の管は、請求項１ないし７のいずれか１項に記載の合成樹脂製の管において、前記管の最外層は、防蟻成分を含有する。こうして、合成樹脂製の管が、最外層に防蟻成分を含有することで、白蟻が、管の外面に沿って進んだりするのを防ぐことができる。
【発明の効果】
【００１７】
この発明に係る合成樹脂製の管によれば、少なくとも第１防虫部と第２防虫部とが、管の内面側において長手方向に繰り返し並んで露出することで、複数種類の虫に対して防虫効果を発揮することができる。
【図面の簡単な説明】
【００１８】
【図１】この発明の第一の実施の形態の、管の断面図である。
【図２】この発明の第二の実施の形態の、管の断面図である。
【発明を実施するための形態】
【００１９】
以下、この発明に係る合成樹脂製の管を実施するための形態を図面に基づいて説明する。
【００２０】
図１は、本発明の第一の実施の形態を示す。図中符号１は、防虫性を備える合成樹脂製の管を示す。
【００２１】
この管１は、例えば、配線・配管材（配線材または配管材）を収容保護する管であって、地中に埋設されたり、コンクリート構造物内に埋設されたり、あるいは露出して配設されたりする。ここで、管１は、少なくとも、第１防虫成分を含有する第１防虫部２ａと、第１防虫成分とは異なる第２防虫成分を含有する第２防虫部２ｂとが、管１の内面側において長手方向に繰り返し並んで露出するように形成される。
【００２２】
詳細には、管１は、前記第１防虫成分を含有して管１の長手方向に連続して形成される第１防虫層３ａと、前記第２防虫成分を含有して第１防虫層３ａの内面に管１の長手方向に断続的に形成される第２防虫層３ｂとを備える。そこで、第１防虫層３ａのうちの管１の内側に露出する部分が前記第１防虫部２ａとなり、第２防虫層３ｂがそのまま前記第２防虫部２ｂとなる。
【００２３】
また、管１は、第１防虫部２ａおよび第２防虫部２ｂよりも外側となる管１の外面側に（図示実施の形態においては、第１防虫層３ａの外側に）、防鼠成分を含有する防鼠層４を備える。そして、管１は、防鼠層４よりも外側に最外層となる覆い層５を備え、その覆い層５は、防蟻成分を含有する。
【００２４】
具体的には、管１は、可撓性を備える波付管からなる。そして、管１は、基本的には、第１防虫層３ａと防鼠層４と覆い層５との三層管からなるが、部分的に、第２防虫層３ｂが加わった四層構造を有する。
【００２５】
第１防虫層３ａは、例えば、第１防虫成分（詳しくは、マイクロカプセルに封入された第１防虫成分）が、ベースとなる塩化ビニル樹脂とかポリエチレン樹脂とかナイロン樹脂等の合成樹脂材料とともに混練されて成形される。
【００２６】
第２防虫層３ｂは、第１防虫層３ａの内面に、第２防虫成分を含有する防虫剤が塗布されてその防虫剤が硬化して被膜化されて形成される。この防虫剤は、例えば合成樹脂等に第２防虫成分を混合したもの、詳細には、バインダー樹脂と揮発性溶剤と第２防虫成分とを含むものであって、塗布後に、揮発性溶剤が揮発することで、防虫剤は、硬化して被膜化される。
【００２７】
防鼠層４は、防鼠成分（詳しくは、マイクロカプセルに封入された防鼠成分）が、ベースとなる塩化ビニル樹脂とかポリエチレン樹脂とかナイロン樹脂等の合成樹脂材料とともに混練されて成形される。
【００２８】
覆い層５は、防蟻成分（詳しくは、マイクロカプセルに封入された防蟻成分）が、ベースとなる塩化ビニル樹脂とかポリエチレン樹脂とかナイロン樹脂等の合成樹脂材料とともに混練されて成形される。もっとも、図示実施の形態においては、この覆い層５は、防蟻成分とともに、防鼠成分を含有する。したがって、覆い層５は、防蟻成分（詳しくは、マイクロカプセルに封入された防蟻成分）に加えて、防鼠成分（詳しくは、マイクロカプセルに封入された防鼠成分）が、ベースとなる塩化ビニル樹脂とかポリエチレン樹脂とかナイロン樹脂等の合成樹脂材料とともに混練されて成形される。そして、この覆い層５における防鼠成分の含有率は、防鼠層４における防鼠成分の含有率よりも小となっている。
【００２９】
ところで、第１防虫成分は、白蟻の食害を防ぐための防虫成分（つまり、防蟻成分）であって、例えば、クロチアニジン等のネオニコチノイド系化合物からなる。そして、第２防虫成分は、白蟻とは異なる虫（例えば、ゴキブリとかムカデとかその他の虫）を防ぐための防虫成分であって、例えば、ゴキブリに対する防虫効果が高い、ピレスロイド系化合物からなる。そして、防鼠層４における防鼠成分とか、覆い層５における防鼠成分は、カプサイシン類からなる。ここで、防鼠層４における防鼠成分の含有率は、例えば、１〜２重量％であるのが望ましく、覆い層５における防鼠成分の含有率は、例えば、０．１〜０．５重量％であるのが望ましい。また、覆い層５における防蟻成分は、前記第１防虫成分と同様に、例えば、クロチアニジン等のネオニコチノイド系化合物からなる。
【００３０】
次に、この第一の実施の形態に係る合成樹脂製の管１の作用効果について説明する。この合成樹脂製の管１によると、少なくとも第１防虫部２ａと第２防虫部２ｂとが（図示実施の形態においては、第１防虫部２ａと第２防虫部２ｂとが）、管１の内面側において長手方向に繰り返し並んで露出する。ここで、第１防虫部２ａの防虫成分と第２防虫部２ｂの防虫成分とは異なるため、少なくとも二種類の虫が、管１の内面に沿って進もうとするのを防止することができ、これら虫に対して防虫効果を発揮することができる。すなわち、この合成樹脂製の管１によれば、少なくとも第１防虫部２ａと第２防虫部２ｂとが（図示実施の形態においては、第１防虫部２ａと第２防虫部２ｂとが）、管１の内面側において長手方向に繰り返し並んで露出することで、複数種類の虫に対して防虫効果を発揮することができる。
【００３１】
また、この管１が、外面側に、防鼠成分を含有する防鼠層４を備えることで、この管１は、防虫効果に加えて防鼠効果を発揮することができる。
【００３２】
さらに、この管１は、防鼠層４よりも外側に、防蟻成分を含有する最外層となる覆い層５を備えている。こうして、管１が、最外層となる覆い層５に防蟻成分を含有することで、白蟻が、管１の外面に沿って進んだりするのを防ぐことができる。
【００３３】
また、最外層となる覆い層５は、防蟻成分の他に、防鼠成分も含有している。そして、この覆い層５における防鼠成分の含有率は、防鼠層４における防鼠成分の含有率よりも小となっている。これにより、覆い層５により、比較的小さな鼠による被害を防ぐことができる。そして、大きな鼠に対しては、覆い層５がかじられる虞はあるが、この場合には、防鼠成分の含有率が相対的に大である防鼠層４が露出し、その防鼠層４により、大きな鼠による被害を防ぐことができる。
【００３４】
また、最外層となる覆い層５における防鼠成分の含有率は、防鼠層４における防鼠成分の含有率よりも小であることから、防鼠成分による人への刺激を低減することができる。しかも、この覆い層５は、防蟻成分と防鼠成分の両方を含有するが、防鼠成分の含有率を、防鼠層４のそれよりも下げることで、この覆い層５の強度が大幅に落ちることがない。
【００３５】
また、この合成樹脂製の管１の製造にあたっては、第１防虫層３ａと防鼠層４と覆い層５とからなる管本体を、ブロー成形によって形成し、そのブロー成形時に、第２防虫成分を含有する前述の防虫剤を内部に断続的に噴出することにより、その防虫剤を管本体の内面に塗布して、第２防虫層３ｂを形成することができる。こうして、管１は、管本体の成形時に、防虫剤を内部に噴出して製造されるため、その製造を容易に行うことができ、また、防虫剤（つまり、第２防虫層３ｂ）の、管本体に対する密着性を高めることができる。
【００３６】
図２は、本発明の第二の実施の形態を示す。この実施の形態は、第一の実施の形態とは、第１防虫層３ａおよび第２防虫層３ｂに代えて、それとは構成の異なる第１防虫層１３ａおよび第２防虫層１３ｂが用いられ、また、覆い部５を備えない点が異なるが、他は同様であり、以下に、同様の部位には同一の符号を付して異なる部分を主に説明する。
【００３７】
この合成樹脂製の管１は、第１防虫成分を含有する第１防虫層１３ａと、第１防虫成分とは異なる第２防虫成分を含有する第２防虫層１３ｂとが、管１の長手方向に繰り返し並んで形成され、これによって、第１防虫層１３ａそのものが、管１の内側に露出する第１防虫部２ａとなるとともに、第２防虫層１３ｂそのものが、管１の内側に露出する第２防虫部２ｂとなる。
【００３８】
ここで、第１防虫層１３ａは、例えば、第１防虫成分（詳しくは、マイクロカプセルに封入された第１防虫成分）が、ベースとなる塩化ビニル樹脂とかポリエチレン樹脂とかナイロン樹脂等の合成樹脂材料とともに混練されて成形される。同様に、第２防虫層１３ｂは、例えば、第２防虫成分（詳しくは、マイクロカプセルに封入された第２防虫成分）が、ベースとなる塩化ビニル樹脂とかポリエチレン樹脂とかナイロン樹脂等の合成樹脂材料とともに混練されて成形される。
【００３９】
また、この管１は、第１防虫部２ａ（第１防虫層１３ａ）および第２防虫部２ｂ（第２防虫層１３ｂ）よりも外側となる管１の外面側に、防鼠成分を含有する防鼠層４を備え、図示実施の形態においては、この防鼠層４が、この管１の最外層となる。そして、この管１は、第１防虫層１３ａと第２防虫層１３ｂと防鼠層４とが、ブロー成形によって形成される。
【００４０】
この第二の実施の形態に係る合成樹脂製の管１の作用効果は、第一の実施の形態と同様であって、第１防虫部２ａ（第１防虫層１３ａ）と第２防虫部２ｂ（第２防虫層１３ｂ）とが、管１の内面側において長手方向に繰り返し並んで露出する。ここで、第１防虫部２ａの防虫成分と第２防虫部２ｂの防虫成分とは異なるため、少なくとも二種類の虫が、管１の内面に沿って進もうとするのを防止することができ、これら虫に対して防虫効果を発揮することができる。すなわち、この合成樹脂製の管１によれば、第１防虫部２ａと第２防虫部２ｂとが、管１の内面側において長手方向に繰り返し並んで露出することで、複数種類の虫に対して防虫効果を発揮することができる。
【００４１】
また、この管１が、外面側に、防鼠成分を含有する防鼠層４を備えることで、この管１は、防虫効果に加えて防鼠効果を発揮することができる。
【００４２】
なお、本発明は、上述した実施の形態に限定されるわけではなく、その他種々の変更が可能である。例えば、管１は、配線・配管材を収容保護するものでなくとも、管内に水を流すドレンホース等であってもよい。また、管１は、波付管からなるが、この波付管は、その波を構成する凹部および凸部が、リング状に形成される以外に、螺旋状に形成されてもよい。また、この管１は、波付管でなくとも、平滑管であってもよい。
【００４３】
また、管１は、第１防虫部２ａと第２防虫部２ｂとが、管１の内面側において長手方向に繰り返し並んで露出するように形成されるが、これら第１防虫部２ａと第２防虫部２ｂとは、密接して並ばなくとも、間を置いて並んでも構わない。
【００４４】
また、管１は、第１防虫部２ａおよび第２防虫部２ｂの他に、それらの第１防虫成分および第２防虫成分とは異なる第３防虫成分を含有する第３防虫部を備えて、それら第１防虫部と第２防虫部と第３防虫部とが、管１の内面側において長手方向に繰り返し並んで露出するように形成されてもよい。ここで、第１防虫部と第２防虫部と第３防虫部との並び順は、第１防虫部をＡ、第２防虫部をＢ、第３防虫部をＣとしたとき、ＡＢＣの順に限らず、例えば、ＡＢＡＣの順であってもよい。また、管１は、これら三種類の防虫部に限らず、四種類以上の防虫部を備えていてもよい。
【００４５】
また、第一の実施の形態において、覆い層５は、防蟻成分に加えて、防鼠成分を含有するが、この防鼠成分は、含有しなくともよい。
【００４６】
また、第一の実施の形態において、管１は、覆い層５を備えるが、この覆い層５は、無くともよい。反対に、第二の実施の形態において、管１は、覆い層を備えてもよい。
【００４７】
また、第一実施の形態において、管１は、防鼠層４を備えるが、この防鼠層４は、無くともよい。すなわち、管１は、防鼠層４を備えることなく、第１防虫部２ａおよび第２防虫部２ｂよりも外側に最外層となる覆い層５を備え、その覆い層５が防蟻成分を含有してもよい。もっとも、管１は、防鼠層４に加えて、この覆い層５も無くともよい。
【００４８】
同様に、第二の実施の形態において、管１は、防鼠層４を備えるが、この防鼠層４は、無くともよい。そして、この場合、管１は、上記の第一の実施の形態と同様に、第１防虫部２ａおよび第２防虫部２ｂよりも外側に最外層となる覆い層を備え、その覆い層が防蟻成分を含有してもよい。
【００４９】
また、第一の実施の形態において、第２防虫層３ｂは、第１防虫層３ａの内面に、第２防虫成分を含有する防虫剤が塗布されてその防虫剤が硬化して被膜化されて形成されるが、この第２防虫層３ｂは、第２防虫成分が、ベースとなる塩化ビニル樹脂とかポリエチレン樹脂とかナイロン樹脂等の合成樹脂材料とともに混練されて成形されてもよい。つまり、この管１は、第１防虫層３ａと第２防虫層３ｂと防鼠層４と覆い層５との全体が、ブロー成形によって形成されてもよい。
【００５０】
また、第二の実施の形態において、第１防虫層１３ａと第２防虫層１３ｂとは、防虫成分が、ベースとなる塩化ビニル樹脂とかポリエチレン樹脂とかナイロン樹脂等の合成樹脂材料とともに混練されて成形されるが、これら第１防虫層１３ａと第２防虫層１３ｂとは、外側の層（図示実施の形態においては、防鼠層４）の内面に、防虫成分（第１防虫層１３ａにおいては第１防虫成分であり、第２防虫層１３ｂにおいては第２防虫成分）を含有する防虫剤が塗布されてその防虫剤が硬化して被膜化されて形成されてもよい。ここで、防虫剤は、例えば合成樹脂等に防虫成分を混合したもの、詳細には、バインダー樹脂と揮発性溶剤と防虫成分とを含むものであって、塗布後に、揮発性溶剤が揮発することで、防虫剤は、硬化した被膜化される。そして、この合成樹脂製の管１の製造にあたっては、防鼠層４からなる管本体を、ブロー成形によって形成し、そのブロー成形時に、第１防虫成分を含有する防虫剤と第２防虫成分を含有する防虫剤とを内部に交互に噴出することにより、それら防虫剤を管本体の内面に塗布して、第１防虫層１３ａおよび第２防虫層１３ｂを形成することができる。こうして、管１は、管本体の成形時に、防虫剤を内部に噴出して製造されるため、その製造を容易に行うことができ、また、防虫剤（つまり、第１防虫層１３ａおよび第２防虫層１３ｂ）の、管本体に対する密着性を高めることができる。
【００５１】
また、第１防虫成分と第２防虫成分とは、ネオニコチノイド系化合物とかピレスロイド系化合物とかからなるが、これら化合物の他に、例えば、有機リン剤、カーバメート剤、ホウ素化合物、フッ素化合物、その他の防虫効果を備える成分からなってもよい。したがって、第１防虫成分は、白蟻の食害を防ぐための防虫成分（防蟻成分）に限るものではない。要するに、第１防虫成分と第２防虫成分とは、互いに異なる成分であればよく、その組み合わせは、任意である。ここで、異なる成分とは、上記のネオニコチノイド系化合物等の各組成物が互いに異なる場合のみならず、上記の組成物に属する下位のそれぞれの組成物が互いに異なる場合も含むものである。
【００５２】
また、以上に示す、各実施の形態とか、その種々の変更形態において、合成樹脂製の管１の最外層は、防蟻成分を含有する場合の他に、含有しない場合もあるが、後者の場合においても、最外層に、防蟻成分を含有させるのが好ましい。そして、このように、合成樹脂製の管１が、最外層に防蟻成分を含有することで、白蟻が、管１の外面に沿って進んだりするのを防ぐことができる。
【００５３】
また、合成樹脂製の管１の最外層は、カーボンを含有するのが好ましい。これにより、管１は、耐候性が向上し、管１が、外光下に配設された場合であっても、その管１の劣化を防いで、防虫効果とか防鼠効果の低下を防止することができる。
【符号の説明】
【００５４】
１  管
２ａ  第１防虫部
２ｂ  第２防虫部
３ａ  第１防虫層
３ｂ  第２防虫層
４  防鼠層
５  覆い層
【図１】
0006280840.tif 000002
【図２】
0006280840.tif 000003